(57)【特許請求の範囲】
【請求項１】
背凭れに肘掛けの支柱を支持させてなり、
前記背凭れが、左右対をなす背フレームと、前記背フレーム間に張設された張地と、前記背フレーム間に着脱可能に架設させた横梁とを具備するものであり、前記肘掛けの支柱が、前記横梁に一体に形成されている椅子であって、
前記横梁が、その両端部に、背フレームの内側面に直接的または間接的に密着する取付壁と、前記各取付壁と協働して背フレームを挟持する外装壁とをそれぞれ備えており、止着具を用いて取付壁を対応する背フレームに止着していることを特徴とする椅子。
【請求項２】
前記取付壁が、前記背フレームに沿って伸びる形状をなしており、それら各取付壁をそれぞれ複数の止着具を用いて対応する背フレームに止着している請求項１記載の椅子。
【請求項３】
前記肘掛けが、前記外装壁と一体に連続形成されている請求項１または２記載の椅子。
【請求項４】
前記取付壁と前記外装壁とによって構成される嵌合部が、背フレームの起立した部分に沿って伸びる上下に長い形態をなしている請求項１、２または３記載の椅子。
【請求項５】
前記横梁が、着座者の腰形状に対応して前方に突出する背フレームの突出部の近傍同士を結合するものである請求項１、２、３または４記載の椅子。
【発明の詳細な説明】
【技術分野】
【０００１】
本発明は、左右対をなす背フレームと、肘掛けとを有する椅子に関する。
【背景技術】
【０００２】
従来、肘掛けを有する椅子の肘掛けの支柱の取付態様として、肘当て面を有する肘当てから下方に延伸し、例えば左右に対をなす背フレームの下端部や、背フレームを支持する基体に直接取り付けられるものが知られている（例えば、特許文献１を参照）。
【０００３】
ところで、特許文献１記載のものに代表されるように、従来の構成では、肘掛けの支柱の下端部は座の下方に位置する。その一方で、肘掛けの肘当て面は座面よりも上方に位置するので、肘掛けの高さ寸法は大きなものとなる。
【０００４】
従来の構成では、このように肘掛けの高さ寸法が大きなものとなるので、例えば肘当て面に着座者がもたれかかるなど、肘掛けに大きな外力が作用した場合に、支柱の下端部に大きな力が掛かり、肘掛けが損傷する不具合が発生しうる。
【先行技術文献】
【特許文献】
【０００５】
【特許文献１】特開２００７−１９０２２０号公報
【発明の概要】
【発明が解決しようとする課題】
【０００６】
本発明は以上の点に着目し、このような課題を解決すること、すなわち、肘掛けの取付強度を増し、肘掛けをより安定して取り付けるようにすることを目的とする。
【課題を解決するための手段】
【０００７】
すなわち本発明に係る椅子は、背凭れに肘掛けの支柱を支持させてなり、前記背凭れが、左右対をなす背フレームと、前記背フレーム間に張設された張地と、前記背フレーム間に着脱可能に架設させた横梁とを具備するものであり、前記肘掛けの支柱が、前記横梁に一体に形成されている椅子であって、前記横梁が、その両端部に、背フレームの内側面に直接的または間接的に密着する取付壁と、前記各取付壁と協働して背フレームを挟持する外装壁とをそれぞれ備えており、止着具を用いて取付壁を対応する背フレームに止着していることを特徴とする。
【０００８】
このようなものであれば、肘掛けの支柱を背凭れの横梁と一体に形成していることにより、肘掛けの支柱が座の下方に達する従来の構成と比較して、肘掛けに大きな外力が作用した場合に支柱の下端部に掛かる力を小さくできる。また、肘掛けの支柱を背凭れの横梁と一体に形成することにより、部品点数の削減を図ることができる。
さらに、前記横梁が、その両端部に前記各取付壁と協働して背フレームを挟持する外装壁をそれぞれ備えているので、前記外装壁により前記取付壁と前記背フレームとの取付箇所を側方から隠蔽でき、このような椅子の見栄えを整えることができる。加えて、前記取付壁と前記外装壁との間の空間に背フレームを差し込むことにより、背フレームへの横梁及び肘掛けの取り付けを容易に行うことができる。
【０００９】
また、肘当ての背フレームへの取付強度を確保するには、前記取付壁が、前記背フレームに沿って伸びる形状をなしており、それら各取付壁をそれぞれ複数の止着具を用いて対応する背フレームに止着しているものが望ましい。また、このようなものであれば、前記取付壁により左右の背フレームに対して外方に向かう作用を与えた状態で前記取付壁と左右の背フレームとをそれぞれ止着することにより、背フレーム相互の取付強度も確保できる。
【００１１】
前段で述べたような椅子の見栄えをさらに整えるには、前記肘掛けが、前記外装壁と一体に連続形成されているものが望ましい。
【００１２】
また、上述した取付壁及び外装壁を具備する椅子において、横梁及び肘掛けを背フレームにがたなく支持させるには、前記取付壁と前記外装壁とによって構成される嵌合部が、背フレームの起立した部分に沿って伸びる上下に長い形態をなしているものが望ましい。このようなものであれば、前記嵌合部に背フレームを差し込むようにすることで、背フレームのより長い部分に横梁及び肘掛けを接続できるからである。
【００１３】
そして、着座者の腰部をより適切に支持できるようにするには、前記横梁が、着座者の腰形状に対応して前方に突出する背フレームの突出部の近傍同士を結合するのが望ましい。このようなものであれば、前記背フレームの突出部の近傍同士を横梁により結合することで、該部位の張地の張力を確保できるからである。
【発明の効果】
【００１４】
本発明の椅子の構成によれば、肘掛けの支柱を背凭れの横梁と一体に形成していることにより、肘掛けの支柱が座の下方に達する従来の構成と比較して、肘掛けに外力が作用した場合に支柱の下端部に掛かる力を小さくでき、このことにより肘掛けの背フレームへの取付強度を確保することができる。また、肘掛けの支柱を背凭れの横梁と一体に形成しているので、部品点数の削減を図ることもできる。
【図面の簡単な説明】
【００１５】
【図１】本発明の一実施形態を示す全体斜視図。
【図２】同実施形態の前面側を一部省略して示す斜視図。
【図３】同実施形態の前面側を一部省略して示す分解斜視図。
【図４】同実施形態の背面側を一部省略して示す斜視図。
【図５】同実施形態の背面側を一部省略して示す分解斜視図。
【図６】同実施形態を張地の片半部及び脚体を省略して示す正面図。
【図７】同実施形態を張地の片半部及び脚体を省略して示す平面図。
【図８】同実施形態を一部省略して示す右側面図。
【図９】図７におけるＡ−Ａ線端面図。
【図１０】図７におけるＢ−Ｂ線端面図。
【図１１】同実施形態の張地の張設前状態を示した背面図。
【図１２】図１１におけるＣ−Ｃ線拡大端面図。
【図１３】図１１におけるＤ−Ｄ線拡大端面図。
【図１４】図８におけるＥ−Ｅ線拡大端面図。
【図１５】本発明の他の実施形態に掛かる横梁とフレームとの接続態様を示す図。
【発明を実施するための形態】
【００１６】
以下、本発明を事務用回転椅子に適用した場合の一実施形態について図１ないし図１４を参照して説明する。
【００１７】
この椅子は、図１に示すように、脚体１と、この脚体１により回転可能に支持された支持基部３と、この支持基部３に支持された座５及び背凭れ７とを具備してなる。
【００１８】
脚体１は、図１に示すように、キャスタ９を有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部３が取り付けられている。
【００１９】
支持基部３は、図３ないし図８に示すように、後方に向かって漸次幅狭となる平面視ほぼ三角形状をなすものであり、前記脚支柱１３の上端部に取り付けられる底壁３ａと、この底壁３ａの周縁に設けられた周壁３ｂと、この周壁３ｂの上端に蓋着された天壁３ｃとを具備してなる。この支持基部３には、前記脚体１のガススプリングを制御するための操作レバー３ｄが設けられている。
【００２０】
座５は、図１、図３、図６ないし図８に示すように、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを具備してなる。
【００２１】
背凭れ７は、図１、図３、図６ないし図８に示すように、左右対をなす背フレーム２３と、これら両背フレーム２３間に張設された可撓性のある背張地２５と、この背張地２５との間に空間２７を形成しつつ前記両背フレーム２３の上部２３ａ間に介設されその介設状態で前記背張地２５に張力を付与する上横梁２９と、前記背張地２５との間に空間３１を形成しつつ前記両背フレーム２３の下部２３ｂ間に介設されその介設状態で前記背張地２５に張力を付与する下横梁３３とを具備してなる。
【００２２】
前記座フレーム１５と前記背フレーム２３とは、図１ないし図８に示すように、連続したものであり（連続した座フレーム１５と背フレーム２３とを「フレームＦ」と総称する場合がある）、前記座５と背凭れ７とが一体となるように構成されている。すなわち、左の座フレーム１５と左の背フレーム２３、及び右の座フレーム１５と右の背フレーム２３とはそれぞれ一本の連続した金属素材を一体に成形することにより一体に構成されている。
【００２３】
前記左のフレームＦ及び右のフレームＦの各外側面Ｆａには、図８ないし図１０に示すように、前記座張地１７及び前記背張地２５を取り付けるための取付溝３５が形成されている。これらの取付溝３５は、前記各フレームＦの裏面Ｆｂよりも表面Ｆｃに近い位置に配されている。ここで、裏面Ｆｂとは、座フレーム１５の場合には下面を意味し、背フレーム２３の場合には背面を意味する。また、表面Ｆｃとは、座フレーム１５の場合には上面を意味し、背フレーム２３の場合には前面を意味する。
【００２４】
前記座張地１７及び前記背張地２５（以下、「張地Ｍ」と総称する場合がある）は、図１、図３、図６ないし図８、及び図１１ないし図１３に示すように、合成樹脂製の糸を織成または編成してなるメッシュ状の張地素材を所定形状に裁断することにより一体に構成されており、着座面である表面Ｍａ側から裏面Ｍｂ側に存在するものを視認することができるような透光性を備えている。
【００２５】
この張地Ｍの左右両縁部Ｍｃには、図１１及び図１３に示すように、帯状をなす剛性のある押し込み材３７が設けられている。この押し込み材３７は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材３７は、合成樹脂等により作られたもので、前記取付溝３５に挿入可能な厚み寸法Ｔ１を有するとともに、前記取付溝３５の奥行き方向の開口寸法Ｔ１よりも大きな幅寸法Ｗ１を有したものである。
【００２６】
そして、図１３に示すように、この張地Ｍの各縁部Ｍｃを前記押し込み材３７とともに前記フレームＦの外面Ｆａ側に設けられた取付溝３５に反転させて挿入することにより、当該張地Ｍを左右のフレームＦ間に張設している。この状態で、左右のフレームＦ間に前横梁２１、上横梁２９及び下横梁３３を介在させることによって前記張地Ｍに張力が付与される。このようにして張力を付与された張地Ｍは、左右のフレームＦの形状に沿った形態となる。すなわち、左右の背フレーム２３は、下端の近傍に着座者の腰形状に対応して前方に突出する突出部２３ｃを有したものであり、前記背張地２５が下横梁３３により張力を付与されることにより前記突出部２３ｃに対応した突出形状をなすように張設されている。
【００２７】
また、前記張地Ｍの左右のフレームＦに支持されていない縁部Ｍｄ、Ｍｅは、図３、図１１及び図１２に示すように、袋状のものであり、その縁部Ｍｄ、Ｍｅ内に透明な芯材３９が内蔵されている。具体的には、前記座５の前縁に位置する張地Ｍ（座張地１７）の縁部Ｍｄ及び前記背凭れ７の上縁に位置する張地Ｍ（背張地２５）の縁部Ｍｅに芯材３９がそれぞれ設けられている。これらの芯材３９は、それぞれ透明なシート材を一定長さの帯状に裁断してなるもので、これら各芯材３９の両端部３９ａと前記押し込み材３７との間には芯材３９が存在しない可撓変形部４１を形成してなる。
【００２８】
前記前横梁２１は、図３ないし図６に示すように、中間に略平坦な平坦部２１ａを有した正面視Ｕ字形をなしており、その左右両端部２１ｂに左右の座フレーム１５の内側面１５ａにそれぞれ直接的に密接する対をなす取付壁４５を備えている。そして、これら各取付壁４５をそれぞれ複数の止着具たるボルト４７を用いて対応する座フレーム１５に止着している。具体的には、この取付壁４５に貫通させた２本のボルト４７を前記座フレーム１５に埋設したナット４９に締着することにより、この取付壁４５を前記座フレーム１５に固定している。なお、前横梁２１の両端部２１ｂには、前記各取付壁４５と協働して座フレーム１５を挟持する外装壁５１をそれぞれ備えている。前記取付壁４５は、前記座フレーム１５に沿って延びる形状をなしており、前記取付壁４５と前記外装壁５１とによって構成される嵌合部５３が、座フレーム１５に沿って延びる前後に長い形態をなしている。しかして、前記取付壁４５は、その厚み寸法Ｔ２よりも座フレーム１５に沿う方向の長手寸法Ｌ２が大きくなるように設定されている。
【００２９】
前記上横梁２９は、図２ないし図７及び図１０に示すように、その中央部２９ａが後方に突出するように湾曲したものであり、その左右両端部２９ｂに左右の背フレーム２３の内側面２３ｄにそれぞれ直接的に密接する対をなす取付壁５５を備えている。そして、これら各取付壁５５をそれぞれ複数の止着具たるボルト５７を用いて対応する背フレーム２３に止着している。具体的には、この取付壁５５に貫通させた２本のボルト５７を前記背フレーム２３に埋設したナット５９に締着することにより、この取付壁５５を前記背フレーム２３に固定している。なお、上横梁２９の両端部２９ｂには、前記各取付壁５５と協働して背フレーム２３を挟持する外装壁６１をそれぞれ備えている。前記取付壁５５は、前記背フレーム２３に沿って延びる形状をなしており、前記取付壁５５と前記外装壁６１とによって構成される嵌合部６３が、背フレーム２３に沿って延びる上下に長い形態をなしている。しかして、前記取付壁５５は、その厚み寸法Ｔ３よりも背フレーム２３に沿う方向の長手寸法Ｌ３が大きくなるように設定されている。
【００３０】
前記下横梁３３は、図２ないし図７及び図９に示すように、着座者の腰形状に対応して前方に突出する背フレーム２３の突出部２３ｃの近傍同士を結合するものであって、その左右方向の中央部３３ａが後方に突出するように湾曲しており、その左右両端部３３ｂに左右の背フレーム２３の内側面２３ｄにそれぞれ直接的に密接する対をなす取付壁６５を備えている。そして、これら各取付壁６５をそれぞれ複数の止着具たるボルト６７を用いて対応する背フレーム２３に止着している。具体的には、この取付壁６５に貫通させた２本のボルト６７を前記背フレーム２３に埋設したナット６９に締着することにより、この取付壁６５を前記背フレーム２３に固定している。なお、下横梁３３の両端部３３ｂには、前記各取付壁６５と協働して背フレーム２３を挟持する外装壁７１をそれぞれ備えている。前記取付壁６５は、前記背フレーム２３に沿って延びる形状をなしており、前記取付壁６５と前記外装壁７１とによって構成される嵌合部７３が、背フレーム２３に沿って延びる上下に長い形態をなしている。しかして、前記取付壁６５は、その厚み寸法Ｔ４よりも背フレーム２３に沿う方向の長手寸法Ｌ４が大きくなるように設定されている。そして、この下横梁３３部分において左右の背フレーム２３をつなぐように、左右の背フレーム２３と前記背フレーム２３に沿う方向の長手寸法Ｌ４をもって固定するようにしている。なお、この下横梁３３は、背フレーム２３に対して着脱可能である。また、本実施形態においては、この下横梁３３が本発明の請求項中の横梁である。
【００３１】
このようにしてなる本実施形態にかかる椅子は、図２及び図８に示すように、座５と背凭れ７とが一体に構成されており、これら座５及び背凭れ７が前記支持基部３に一体に設けられた前横梁２１によって片持ち支持されている。そして、この支持基部３と前記座５との間に荷物載置面７５が設けられ、その荷物載置面７５と前記座５の裏面５ａとの間に荷物Ｂ１を出し入れ自在に収容するための荷物収容空間７７が形成されている。
【００３２】
前記荷物載置面７５は、図２及び図３に示すように、平面視においてその外縁７５ａの一部が前記支持基部３の外縁３ｅよりも外側に位置する延出部７９を備えており、その延出部７９に埃排除手段８１が設けられている。すなわち、この実施形態における荷物載置面７５は、前横梁２１の平坦部２１ａの上面２１ｃと支持基部３の上に着脱可能に装着された棚板８３の上面８３ａにより形成されている。換言すれば、前記支持基部３の上面３ｆを覆い隠すようにして前記棚板８３が設けられており、その棚板８３に前記荷物載置面７５の主要部、すなわち荷物載置面７５の一部が形成されている。
【００３３】
前記棚板８３は、図２ないし図８に示すように、その上面８３ａで荷物Ｂ１を装脱可能に支持するための荷物載置面７５の一部を形成する棚板本体８５と、この棚板本体８５の下面に設けられ前記支持基部３に着脱可能に外嵌される外嵌壁体８７とを備えている。
【００３４】
前記棚板本体８５は、前記支持基部３の上面３ｆに載置されるものであって、平面視において支持基部３よりも大きな面積を有しており、前記支持基部３よりも外側に位置する部位に前記埃排除手段８１を構成する複数の貫通孔８２が設けられている。この棚板本体８５は、平面視においてＡ４版サイズよりも大きな面積を有したもので、その左右両側縁部８５ａに荷物Ｂ１の落下を防止するための湾曲部８５ｂを備えている。この棚板本体８５は、その中央部を前記脚支柱１３の軸心である支持基部３の回転中心Ｏにほぼ一致させて配設されており、前記荷物載置面７５が前記支持基部３の回転中心Ｏを含む位置に形成されるようにしている。
【００３５】
前記外嵌壁体８７は、前記支持基部３の外周面３ｇに重なり合う包持部８７ａと、前記支持基部３の底面周縁部分３ｈに重なり合う抜止部８７ｂとを備えてなるもので、前記支持基部３に後方から装脱し得るようにその前面が開放されている。また、前記外嵌壁体８７は、前記包持部８７ａの外面を前記棚板本体８５の下面に接続するためのリブ８７ｃを備えている。
【００３６】
また、この実施形態にかかる椅子は、図１に示すように、左右の肘掛け８９を有している。この左右の肘掛け８９は、腰部背面に位置する下横梁３３と合わせて一体に成形している。さらに詳述すると、この肘掛け８９は、図３ないし図５、図８、図１４に示すように、前記下横梁３３の外装壁７１と一体に連続形成されたものであり、前記下横梁３３の外面３３ｃと前記肘掛け８９の外面８９ａとが滑らかに一体化されている。この肘掛け８９は、前記背凭れ７から前方に延出させて設けられたものであり、前記背凭れ７に支持された肘掛け本体９１と、この肘掛け本体９１上に設けられた肘当てパット９３とを具備してなる。
【００３７】
前記肘掛け本体９１は、前記下横梁３３に一体に設けられた肘支柱９５と、この肘支柱９５の先端部に設けられた肘フレーム９７とからなり、この肘フレーム９７上に前記肘当てパット９３を装着している。具体的には、前記肘フレーム９７が、その上面に前後対をなす取付部９７ａを有した硬質の下枠部９７ｂと、この下枠部９７ｂの取付部９７ａに前後両端部を取付けた硬質の上枠部９７ｃとからなるもので、この下枠部９７ｂと上枠部９７ｃとで剛性を有したループ形状を形成している。換言すれば、この下枠部９７ｂと前記上枠部９７ｃとで窓部９９が形成される。そして、上枠部９７ｃの上に軟質の肘当てパット９３を設けている。そして、この窓部９９の開口縁９９ａに平面視において肘当てパット９３の外縁９３ａからはみ出さない状態でかばんその他の荷物Ｂ２を掛けるためのフック１０１を設けている。すなわち、このフック１０１は、前記肘フレーム９７の窓部９９に一体に形成されている。換言すれば、このフック１０１は、前記窓部９９の開口縁９９ａの下辺部分９９ｂを変形させることにより形成されたものである。
【００３８】
また、この実施形態にかかる椅子は、図２ないし図６に示すように、衣類を掛けるためのハンガー１０３を備えている。このハンガー１０３は、前記上横梁２９の下辺２９ｃに懸吊姿勢で一体的に設けられたものであり、衣類を掛けるためのハンガー本体１０５と、このハンガー本体１０５を前記上横梁２９との間に隙間１０７を維持した状態で前記上横梁２９に懸吊支持させる懸吊部材１０９とを具備してなる。
【００３９】
以上に述べたように、本実施形態に係る椅子の構成によれば、左右の肘掛け８９を腰部背面に位置する下横梁３３と合わせて一体に成形している、より具体的には、肘掛け９３の肘支柱９５を背凭れ７の下横梁３３と一体に形成していることにより、肘掛けの支柱が座の下方に達する従来の構成と比較して、肘掛け９３に大きな外力が作用した場合に肘支柱９５の下端部に掛かる力を小さくでき、使用中に体重を掛けてもぐらつかない。さらに、このような構成であれば、少ない部品点数で肘掛け９３を椅子に設けることができる。加えて、肘掛け９３を有しない椅子との作り分けも、肘掛け９３を有しする下横梁３３と肘掛けを有しない下横梁とを用意し、必要に応じて選択して組み付けるだけなので、製品の作り分けが容易であり、肘掛け９３を有する椅子と肘掛け９３を有しない椅子との設計の共通化を図ることもできる。
【００４０】
また、下横梁３３部分において左右の背フレーム２３をつなぐように、左右の背フレーム２３とそれぞれ背フレーム２３に沿う方向の長手寸法Ｌ４をもって固定されている、より具体的には、前記下横梁３３がその両端部に前記背フレーム２３の内側面２３ｄに直接的に密接する取付壁６５を備え、これら取付壁６５が前記背フレーム２３に沿って伸びる形状をなし、さらに各取付壁６５をそれぞれ複数のボルト６７を用いて対応する背フレーム２３に止着しているので、この下横梁３３と一体に形成した肘当て６９の背フレーム２３への取付強度を確保することができる。従って、より確実に使用中に体重を掛けてもぐらつかないようにできる。また、前記取付壁６５により左右の背フレーム２３に対して外方に向かう作用を与えた状態で前記取付壁６５と左右の背フレーム２３とをそれぞれ止着することにより、背フレーム相互の取付強度も確保できる。
【００４１】
さらに、前記下横梁３３が、その両端部に前記各取付壁６５と協働して背フレーム２３を挟持する外装壁７１をそれぞれ備えているので、前記外装壁７１により前記取付壁６５と前記背フレーム２３との取付箇所を側方から隠蔽し、この椅子の見栄えを整えることができる。また、前記取付壁６５と前記外装壁７１との間の空間に背フレーム２３を差し込むことにより、背フレーム２３への横梁３３及び肘掛け６９の取り付けを容易に行うことができる。
【００４２】
加えて、前記肘掛け６９が、前記外装壁７１と一体に連続形成されているので、この点からも椅子の見栄えをさらに整えることができる。
【００４３】
また、前記取付壁６５と前記外装壁７１とによって構成される嵌合部７３が、背フレーム２３の起立した部分に沿って伸びる上下に長い形態をなしているので、この嵌合部７３に背フレーム２３を差し込むようにすることで、背フレーム２３のより長い部分に下横梁３３及びこの下横梁３３と一体に形成した肘掛け６９を接続し、これら下横梁３３及び肘掛け６９を背フレーム２３にがたなく支持させることができる。
【００４４】
そして、前記下横梁３３が、着座者の腰形状に対応して前方に突出する背フレーム２３の突出部２３ｃの近傍同士を結合するので、該部位の背張地２５の張力を高くでき、従って、この椅子に着座した着座者の腰部をより適切に支持できる。
【００４５】
なお、本発明は以上に述べた実施形態に限らない。
【００４６】
例えば、肘掛けと一体に形成した横梁は、左右の背フレームの突出部近傍に限らず、左右の背フレームの他の箇所同士を結合するものであってもよい。
【００４７】
また、上述した実施形態においては前記取付壁と前記外装壁とが協働して背フレームを挟持するようにしているが、外装壁は省略してもよい。また、横梁及び肘掛けとは別体の外装壁を横梁又は肘掛けに取り付けるようにしてもよい。
【００４８】
さらに、前記取付壁と前記外装壁とによって構成される嵌合部を、背フレームの起立した部分に沿って伸びる上下に長い形態をなすようにする代わりに、例えば背フレームの突出部の形状に沿うように形成してもよい。
【００４９】
加えて、横梁の取付壁を背フレームに止着する際に、止着具を１つだけ設けるようにしてもよい。
【００５０】
さらに、前横梁、上横梁、及び下横梁は、それぞれフレームに直接的に取り付けられたものに限らず、図１５に示すように、各横梁２１、２９、３３をフレームＦに間接的に取り付けられるものであってもよい。すなわち、各横梁２１、２９、３３の取付壁４５、５５、６５とフレームＦとの間に隙間を設け、その隙間にスペーサＳ等の介在部材を設けるものであってもよい。このようなものであれば、介在させるスペーサＳの厚みを種々変更することにより、張地Ｍの張力を調節することができる。一方、前記前横梁、上横梁、及び下横梁の取付壁自体を省略してもかまわない。
【００５１】
そして、上述した実施形態では、背フレームと座フレームとを連続させて一体に形成しているが、背フレームと座フレームとを別体に形成した椅子に本発明を適用してもよい。この場合、背凭れの後傾につれ座の後部が下方に沈み込むシンクロチルト機構を有するものであってもよい。
【００５２】
その他、本発明の趣旨を損ねない範囲で種々に変形してよい。
【符号の説明】
【００５３】
１…脚体
３…支持基部
５…座
７…背凭れ
【図１】
0005472979.tif 000002
【図２】
0005472979.tif 000003
【図３】
0005472979.tif 000004
【図４】
0005472979.tif 000005
【図５】
0005472979.tif 000006
【図６】
0005472979.tif 000007
【図７】
0005472979.tif 000008
【図８】
0005472979.tif 000009
【図９】
0005472979.tif 000010
【図１０】
0005472979.tif 000011
【図１１】
0005472979.tif 000012
【図１２】
0005472979.tif 000013
【図１３】
0005472979.tif 000014
【図１４】
0005472979.tif 000015
【図１５】
0005472979.tif 000016